(57)【要約】【課題】  操作が容易で確実性があると共に、閂と閂受との係合が強固でガタツキの無い門扉のロック装置を提供せんとする【解決手段】  支柱に回動自在に扉を配置し、閂と閂受で構成するロック装置を有する門扉において、二枚の門扉１、２間に設けるロック装置を、一方の門扉２に昇降自在であると共に水平方向に回動可能な閂６を設け、両門扉１、２に上部及び側部が開放された閂受５、５を設け、閂６を昇降及び回動させて閂受５、５と嵌合又は離脱する。【選択図】  図１
2007314982.tif 000002
【特許請求の範囲】
【請求項１】
支柱に回動自在に扉を配置し、閂と閂受で構成するロック装置を有する門扉において、二枚の門扉間に設けるロック装置を、一方の門扉に昇降自在であると共に水平方向に回動可能な閂を設け、両門扉に上部及び側部が開放された閂受を設け、閂を昇降及び回動させて閂受と嵌合又は離脱することを特徴とする門扉のロック装置。
【請求項２】
閂は扉側が垂直面で反対面が傾斜した片側テーパーであり、閂受は閂のテーパー面と面接する傾斜面に形成され、閂受と扉の面とで閂を嵌合することを特徴とする請求項１記載の門扉のロック装置。
【請求項３】
閂は昇降自在な回転軸に取り付けられ、降下状態で下圧して閂受に嵌合していることを特徴とする請求項１又は２記載の門扉のロック装置。
【請求項４】
閂と閂受で構成したロック装置が門扉の内側面と外側面の夫々に設けられている請求項１、２又は３記載の門扉のロック装置。
【請求項５】
閂は、昇降自在な回転軸に横設したプレートと上下に離接可能に支持されていることを特徴とする請求項４記載の門扉のロック装置。
【請求項６】
閂は、昇降自在な回転軸に横設したプレートと内外方向に微動可能に支持されていることを特徴とする請求項５記載の門扉のロック装置。
【請求項７】
閂を取り付けた昇降自在な回転軸に、互いに接触して逆回転する転動体を設けると共に、昇降も連動する構成としたことを特徴とする請求項４、５又は６記載の門扉のロック装置。
【発明の詳細な説明】
【技術分野】
【０００１】
本発明は、門扉のロック装置に関するものである。
【背景技術】
【０００２】
門扉のロック装置においては、閂と閂受で構成した装置で、両者の係合関係でロックするものが従来から数多く採用されている。
そして、閂と閂受との係合関係は、閂が左右の横方向へ移動して閂受との嵌合と解除を行うようにしたものである。
【０００３】
例えば、特開平１１−０４４１６７では、門扉本体の上端又は下端に設けたリング状の閂ガイドと、この閂ガイドにスライド自在に貫通される閂とからなるロック装置が開示されている。
また、特開平０９−２５６７６２では、支柱に閂受けを設け、門扉に閂受けに出入り自在の閂を設けた構成が開示されている。
【特許文献１】特開平１１−０４４１６７
【特許文献２】特開平０９−２５６７６２
【発明の開示】
【発明が解決しようとする課題】
【０００４】
上記従来の閂と閂受との係合は、リング状の閂受（閂ガイド）としてあるため、閂の外径とリング状の閂受の内径との差の無いことが好ましいけれど、係合操作をし易くする目的から余裕をもった設計としてある。
そのため、ロック時でもガタついて、雑音となったり、その振動が門扉の破損の原因となったり、特に、支柱と門扉との支持部分に影響を与えるのであり、片側支持の門扉や重量のある門扉では大きな問題となるのである。
【０００５】
そこで、本発明は操作が容易で確実性があると共に、閂と閂受との係合が強固でガタツキの無い門扉のロック装置を提供せんとするものである。
【課題を解決するための手段】
【０００６】
本発明の門扉のロック装置は、支柱に回動自在に扉を配置し、閂と閂受で構成するロック装置を有する門扉において、二枚の門扉間に設けるロック装置を、一方の門扉に昇降自在であると共に水平方向に回動可能な閂を設け、両門扉に上部及び側部が開放された閂受を設け、閂を昇降及び回動させて閂受と嵌合又は離脱することを特徴とするものである。
【０００７】
また、閂は扉側が垂直面で反対面が傾斜した片側テーパーであり、閂受は閂のテーパー面と面接する傾斜面に形成され、閂受と扉の面とで閂を嵌合することを特徴とし、更に、閂は昇降自在な回転軸に取り付けられ、閂は降下状態で閂受を下圧して嵌合していることを特徴とするものである。
【０００８】
そして、閂と閂受で構成したロック装置を門扉の内側面と外側面の夫々に設けてもよく、閂は、昇降自在な回転軸に横設したプレートと上下に離接可能に支持し、又、内外方向にも微動可能に支持することを特徴とし、或いは閂を取り付けた昇降自在な回転軸に、互いに接触して逆回転する転動体を設けると共に、昇降も連動する構成としたことを特徴とするものである。
【発明の効果】
【０００９】
本発明は、閂を昇降させて閂受と嵌合離脱させるものであるから、従来のリング状の閂受へ横移動させて嵌合するものに比べて、確実容易に且つ隙間によるガタツキを防止できる効果を有するのである。
また、閂が水平方向へ回動自在となっているため、閂受との嵌合を解除したときは扉の開閉に干渉しないような位置へ回動させて置くことができるものである。
【００１０】
閂は扉側が垂直面で反対面が傾斜した片側テーパーであり、閂受は閂のテーパー面と面接する傾斜面に形成され、閂受と扉の面とで閂をより確実に隙間無く嵌合することができ、更に、閂は昇降自在な回転軸に取り付け、降下状態で閂受を下圧して嵌合させることで、操作が容易となると共に、より強固な嵌合状態とできる効果を発揮するものである。
【００１１】
また、閂と閂受で構成したロック装置を門扉の内側面と外側面の夫々に設けることで、内外面を閂でロックして風圧等で開こうとする扉や、重量のある扉に対してもより確実強固なロック機構を提供できる。
【００１２】
閂を昇降自在な回転軸に横設したプレートと上下に離接可能に支持し、又は前後方向に微動可能に支持した構成とすることで、一方のロック装置の影響で他方の閂と閂受との嵌合に支障のでるのを上下・内外方向に微調節して回避できるものであり、昇降自在な回転軸に、互いに接触して逆回転する転動体を設けると共に、昇降も連動する構成とすることで、内外面のロック機構を一の操作で同時に行うことが出来る効果を有するものである。
【発明を実施するための最良の形態】
【００１３】
本発明の実施の形態を図面に基づいて説明する。
図1は実施の一形態を示す正面図であり、図2は同側面図である。
門扉１、２は対向した門支柱（図示せず）に回動自在に基端部の側枠が軸支されており、門支柱間の中間部において先端部が間隙を空けて突合し、門を開閉する公知の構成を有する。
【００１４】
各門扉１、２の閉塞時に同一の面となる先端部の側枠３、４に、同一形状の閂受５、５が同じ高さ位置に取り付けてあり、側枠３、４の面とで閂６が嵌合する空間７、７を形成している。
閂６は閂ロッド１０に設けてあり、閂ロッド１０は一方の門扉２（図面では）に上下方向に昇降及び回転可能に、門扉２に突設した閂ブラケット８、９に嵌挿軸支されている。
よって、閂６が前記閂受５，５に嵌合・離脱を行えるように昇降及び回動が可能で、閂ロッド１０の下部に横設した取手１１でその操作を行うものである。
【００１５】
門扉１，２の開放時には、閂ロッド１０が開閉の支障とならないように、回動させて一方の門扉２に当接させておけばよく、また、閂ロッド１０の閂ブラケット８，９からの抜け落ちを防止するため、閂６の閂受５、５への嵌合・離脱が可能となる閂ロッド１０の昇降範囲を確保して、ストッパー装置を設ける必要がある。
【００１６】
図３は、取手１１と閂ブラケット９を利用した上記ストッパー装置である。
閂６を閂受５、５からの嵌合を解き離脱するに際して、操作する取手１１が閂ブラケット９に形成した縦溝２３を通過し、閂ロッド１０を上昇させた後、回動させて一方の門扉２に閂６を当接させると共に、回動した取手１１を閂ブラケット９の上面に係止しておくことで、閂ロッド１０が閂ブラケット８，９から抜け落ちるのを防止する構成となっている。
【００１７】
図４は、閂６と閂受５、５との嵌合状態を示す他の実施例を示す側面図である。
閂６の前後面が、扉側を垂直面１２に形成し、反対面を傾斜した片側テーパー面１３に形成し、一方の閂受５、５は、側枠３、４の面に対して、閂６のテーパー面１３と面接する同角度の傾斜面１４に形成して突設してある。
【００１８】
したがって、閂受５、５と側枠３、４の面とで形成する空間７、７に、閂６の前後面が面接して強固に嵌合するものと成り、嵌合に際しては楔状のためガイド作用も期待でき、閂６、閂ロッド１０及び取手１１の荷重で閂受５、５を下圧し嵌合状態を強固に維持するものとなる。
【００１９】
また、閂６は内挿した閂プレート２０とトラスネジ２１で連結してあり、閂プレート２０は閂ロッド１０にセットカラー２２で上下調節可能に横設されている。
設置時等に、閂受５と閂６の位置関係を閂プレート２０で微調節可能となり、また、閂６が破損等した場合の交換を容易に行えるようになる。
【００２０】
図５は、上記で説明した一実施例を示す閂６と閂受５で構成したロック装置を門扉１、２の内側面と外側面の夫々に設けたものであり、且つ、閂６の昇降及び回動が連動するような構成とした他の実施例を示す側面図である。
【００２１】
即ち、閂６Ａと閂６Ｂの回動を連動させるため、閂ロッド１０Ａ、１０Ｂに互いに噛合する歯車１５Ａ、１５Ｂを取り付けたものである。
また、噛合する一方の歯車１５Ａの歯車受１６Ａを、他方の歯車１５Ｂの歯車受１６Ｂの上面に載置して位置取りすると共に、一方の歯車受１６Ａの周端部が、他方の歯車受１６Ｂと歯車軸１７Ｂ間にワッシャー１８を介して形成した隙間１９に緩挿した構成としてある。
【００２２】
したがって、一方の取手１１Ａ又は１１Ｂを操作することによって、二つのロック装置の閂６Ａ、６Ｂを同時に且つ同一範囲の昇降及び回動を操作することができる。
門扉の内外面にロック装置を設けることにより、風圧に充分に耐えられる強固なロック作用を期待でき、重量のある門扉にも有効である。
【００２３】
前記の通り閂６（Ａ、Ｂ）は内挿した閂プレート２０（Ａ、Ｂ）と連結し、閂プレート２０（Ａ、Ｂ）は閂ロッド１０（Ａ、Ｂ）に横設されている。
図６では、一方又は両方のロック装置の閂６と閂プレート２０の連結は、ボルト・ナットで緊締した状態で締結固定せずに、上下に離接可能に連結ボルト軸に遊び２３を設けてダブルナット２４で止めると共に、閂６のボルト孔を内外方向の長孔２５としてある。
この様にすれば、他方のロック装置に影響されることなく、閂６は自重及び閂受５のガイド作用で上下及び内外へ自動的に微調節を為して確実に閂受５に嵌合するものとなる。
【００２４】
図５及び図６ではロック装置を門扉１、２の内側面と外側面の夫々に設けたもの、閂６Ａ、６Ｂの昇降及び回動が連動する構成の一つを例示したものであり、これらの構成に限定されるものではない。
また、互いに関係なく夫々の取手１１Ａ又は１１Ｂを操作し、閂受５Ａ、５Ｂへの閂６Ａ、６Ｂの嵌合・離脱を内外側で個々に行うものとしても勿論良い。
【図面の簡単な説明】
【００２５】
【図１】本発明のロック装置の実施の一形態を示す正面図である。
【図２】本発明のロック装置の一実施の形態を示す側面図である。
【図３】本発明のストッパー装置の一実施の形態を示す正面図である。
【図４】閂と閂受の嵌合状態を示す他の実施例を示す側面図である。
【図５】本発明のロック装置の他の実施の形態を示す側面図である。
【図６】本発明の閂の他の実施の形態を示す一部切り欠いた側面図である。
【符号の説明】
【００２６】
１、２        門扉
３、４        側枠
５            閂受
６            閂
７            空間
８、９        閂ブラケット
１０            閂ロッド
１１            取手
１２            垂直面
１３            テーパー面
１４            傾斜面
１５Ａ、１５Ｂ  歯車
１６Ａ、１６Ｂ  歯車受
１７Ａ、１７Ｂ  歯車軸
１８            ワッシャー
１９            隙間
２０            閂プレート
２１            トラストネジ
２３            遊び
２４            ダブルナット
２５            長孔
【図１】
2007314982.tif 000003
【図２】
2007314982.tif 000004
【図３】
2007314982.tif 000005
【図４】
2007314982.tif 000006
【図５】
2007314982.tif 000007
【図６】
2007314982.tif 000008